(57)【要約】【課題】低コストで、施工性も良好な、強度に優れた外壁改修構造を提供する。【解決手段】本発明に係る外壁改修構造は、既存外壁１上に胴縁４を配し新規外壁材８を設置する外壁改修構造であって、胴縁４は既存外壁１を支持する下地及び／又は既存の横架材及び／又は既存の垂直材へ、固定具αを用いて固定した胴縁取付用金具３を介して支持固定され、胴縁取付用金具３は、胴縁取付用金具３を既存外壁１を支持する下地及び／又は既存の横架材及び／又は既存の垂直材へ固定する際に固定具αを留め付けるための固定部１０と、固定部１０の固定を行ったときに既存外壁面より屋外側に離れて存在して胴縁４を施工する施工面７を持つ。【選択図】図１０
2018178581.tif 000002
【特許請求の範囲】
【請求項１】
既存外壁上に胴縁を配し新規外壁材を設置する外壁改修構造であって、胴縁は既存外壁を支持する下地及び／又は既存の横架材及び／又は既存の垂直材へ、固定具を用いて固定した胴縁取付用金具を介して支持固定され、胴縁取付用金具は、胴縁取付用金具を既存外壁を支持する下地及び／又は既存の横架材及び／又は既存の垂直材へ固定する際に固定具を留め付けるための固定部と、固定部の固定を行ったときに既存外壁面より屋外側に離れて存在して胴縁を施工する施工面を持つことを特徴とする外壁改修構造。
【請求項２】
請求項１に記載の外壁改修構造において、建物１階の基礎の土台部付近から上階との階層境界部に渡って施工される縦胴縁と、建物２階以降の各階の階層境界部に渡って施工される縦胴縁の上下端部近辺は胴縁取付用金具及び／又は胴縁取付用金具に固定された横胴縁に固定されていることを特徴とする外壁改修構造。
【発明の詳細な説明】
【技術分野】
【０００１】
本発明は外壁改修構造に関するものである。
【背景技術】
【０００２】
従来、外壁の改修において、古くなった既存外壁を撤去することなく、既存外壁上に新規胴縁を配し、その新規胴縁上に新規外壁を施工する改修方法いわゆるカバー工法が知られている。（特許文献１）また、このような既存外壁上に新規胴縁を配する際に、あらかじめ胴縁取付用のアタッチメントを既存外壁上に設置し、そのアタッチメントに新規胴縁を取り付ける方法が知られている。（特許文献２）
【先行技術文献】
【特許文献】
【０００３】
【特許文献１】特開２００１−１０７５３５号公報
【特許文献２】特開２０１５−６７９８３号公報
【発明の概要】
【発明が解決しようとする課題】
【０００４】
特許文献１は、既存外壁上に配した胴縁と、胴縁上に固定して既存外壁を覆うように配した新規外壁材から構成され、胴縁を固定する固定具は既存外壁を貫通して既存外壁を支持する下地に打ち込まれている外壁改修構造である。
【０００５】
しかしながら、このように胴縁を固定具を用いて直接既存外壁を支持する下地に固定する方法では、胴縁を固定する際に、長尺状の胴縁を保持、扱ったりしながら、取り付け位置の調整や、既存外壁の裏側にある下地まで直接胴縁の固定を行わなければならず、取り付け作業が大変であった。
【０００６】
そこで、特許文献２のような、躯体の壁面に胴縁取り付け用のアタッチメントを固定し、そのアタッチメントに金属胴縁を固定する方法がある。
【０００７】
この、特許文献２のアタッチメントは、金属製の板材を長手方向の処々において屈曲することで、壁面にアンカーボルトによって固定される基板部と、前記基板部から屈曲されて前記壁面から離間するように延びる内壁部と、前記内壁部と一体をなし、前記内壁部から前記基板部と平行になるように前記長手方向の端側で屈曲されて延びる胴縁を取り付ける支持部と、前記支持部と一体をなし、前記支持部から前記長手方向の端側で屈曲されて前記壁面に近づくように延びる外壁部とを有するアタッチメント、若しくは、これを左右対称状に形成したアタッチメントである。
【０００８】
しかしながら、この特許文献２で開示されているアタッチメントでは、その形状が金属製の板材を長手方向の処々において屈曲しただけの単純な形状であるため、外力に対する強度が足りず、例えば胴縁取り付け時等の強度が不足し、外力によって変形してしまう可能性があった。
【０００９】
さらに、この特許文献２に開示されている外装材の施工方法では、躯体の壁面にアンカーボルトで胴縁取り付け用アタッチメントを固定するため、固定に使う壁面の劣化や強度不足、取付強度の不足といった問題があった。
【課題を解決するための手段】
【００１０】
本発明はこのような課題を解決するために、以下の手段を提供している。
【００１１】
本発明の外壁改修構造は、既存外壁上に胴縁を配し新規外壁材を設置する外壁改修構造であって、胴縁は既存外壁を支持する下地及び／又は既存の横架材及び／又は既存の垂直材へ、固定具を用いて固定した胴縁取付用金具を介して支持固定され、胴縁取付用金具は、胴縁取付用金具を既存外壁を支持する下地及び／又は既存の横架材及び／又は既存の垂直材へ固定する際に固定具を留め付けるための固定部と、固定部の固定を行ったときに既存外壁面より屋外側に離れて存在して胴縁を施工する施工面を持つ。
【００１２】
本発明の外壁改修構造においては、建物１階の基礎の土台部付近から上階との階層境界部に渡って施工される縦胴縁と、建物２階以降の各階の階層境界部に渡って施工される縦胴縁の上下端部近辺は胴縁取付用金具及び／又は胴縁取付用金具に固定された横胴縁に固定されていることが好ましい。
【発明の効果】
【００１３】
本発明に係る外壁改修構造によれば、低コストで、施工性も良好な、強度に優れた外壁改修構造が得られる。  
【図面の簡単な説明】
【００１４】
【図１】本発明に係る外壁改修構造の実施例で胴縁施工前の状態を示す参考斜視図である。
【図２】本発明に係る外壁改修構造に用いる部材の使用態様を示した参考斜視図である。
【図３】本発明に係る外壁改修構造の実施例で胴縁施工前を示す階層境界部の断面図である。
【図４】本発明に係る外壁改修構造の実施例で胴縁施工前を示す基礎の土台部の断面図である。
【図５】本発明に係る外壁改修構造の実施例で胴縁を施工した状態を示す階層境界部の断面図である。
【図６】本発明に係る外壁改修構造の実施例で胴縁を施工した状態を示す基礎の土台部の断面図である。
【図７】本発明に係る外壁改修構造の実施例で胴縁を施工した状態を示す参考斜視図である。
【図８】本発明に係る外壁改修構造の実施例で胴縁を施工した状態を出隅部の参考斜視図である。
【図９】本発明に係る外壁改修構造の実施例を示す参考斜視図である。
【図１０】本発明に係る外壁改修構造の実施例を示す参考斜視図である。
【図１１】本発明に係る外壁改修構造に用いる胴縁取付用金具の例を示す参考斜視図である。
【図１２】本発明に係る外壁改修構造に用いる図１２に示した胴縁取付用金具に働く外力を表した図である。
【図１３】本発明に係る外壁改修構造に用いる胴縁取付用金具の例を示す参考斜視図と、それに働く外力を表した図である。
【図１４】本発明に係る外壁改修構造に用いる胴縁取付用金具の例を示す参考斜視図と、それに働く外力を表した図である。
【図１５】本発明に係る外壁改修構造に用いる胴縁取付用金具の例を示す参考斜視図である。
【図１６】本発明に係る外壁改修構造に用いる胴縁の例を示す参考斜視図である。
【図１７】本発明に係る外壁改修構造のパラペット部の例を示す断面図である。
【図１８】本発明に係る外壁改修構造の開口部の例を示す図である。
【発明を実施するための形態】
【００１５】
以下に図面を用いて、本発明に係る外壁改修構造について説明する。
【００１６】
図９、図１０に本発明に係る外壁改修構造を用いて改修を行った一例の参考斜視図を示す。
【００１７】
本発明は図１に示すように、既存外壁１を支持する下地であるＬ字定規アングル２に対し例えばビス等の単独からなる固定具αを用いて胴縁取付用金具３を取り付けている。
【００１８】
ここで、胴縁取付用金具３は、既存外壁１を支持する下地以外にも、既存の横架材や垂直材へ固定してもよい。
【００１９】
このように、既存外壁１に固定するのではなく、それよりも強度があり劣化も少ない既存外壁１を支持する下地や、既存の横架材や、既存の垂直材へ固定することで、既存外壁１の劣化や強度不足、取付強度の不足といった問題を回避することができる。
【００２０】
既存外壁１を支持する下地としては、例えば既存胴縁やＬ字定規アングル２や合板等があり、横架材としては、梁５や桁や胴差しや基礎の土台６等があり、垂直材としては柱や間柱等がある。これらの材質は特に限定されるものではない。
【００２１】
この実施例では、既存外壁１を支持する下地であるＬ字定規アングル２へ単独からなる固定具αであるビスを用いて胴縁取付用金具３を固定している。本発明はこの実施例のように既存外壁１を支持する下地に対して例えばビス等の固定具αを用いて固定をするという単純なやり方のため、特別な取り付け部材を用いるような複雑な改修構造に比べて、簡単で、施工性も良く、部材等のコストも抑えることができる。
【００２２】
図２に示すように、胴縁取付用金具３を活用することで、既存外壁１を支持する下地であるＬ字定規アングル２に固定した胴縁取付用金具３の施工面７を介して胴縁４の設置を行うことができ、取り付け位置の調整、既存外壁１の裏にある下地への固定、万一の場合の固定具αの打ち直し、等々を長尺上の胴縁４を扱いながら行う必要がなくなり、施工性が向上する。
【００２３】
図１、図３、図４に示すように、胴縁取付用金具３を、既存外壁１の境界にあたる上下階の階層境界部Ｈと基礎の土台部６に存在するＬ字定規アングル２に固定して建物の上下左右に間隔をあけて設置し、図５〜図７に示すように、設置した胴縁取付用金具３の施工面７に対して胴縁４を施工し、施工した胴縁４を活用して、図９、図１０に示すように新規外壁材８を施工していく。
【００２４】
この実施例では、図５〜図７に示すように、建物の上下階の階層境界部Ｈに上下方向へ渡って縦胴縁４ａを施工していく部分については胴縁取付用金具３を縦方向に間隔を空けて設置し縦胴縁４ａを縦方向に渡すように施工している。一方、基礎の土台部６においては胴縁取付用金具３を横方向に設置し胴縁４を横方向に渡すように施工している。
【００２５】
この実施例の出隅部分については、図８に示すように、既存外壁１の出隅の裏側部分に胴縁取付用金具３を固定するのに適当な既存外壁１を支持する下地がないため、出隅部胴縁９は既存外壁１への固定を行うと共に、出隅以外の箇所でＬ字定規アングル２へ固定した胴縁取付用金具３に固定した横胴縁４ｂや、Ｌ字定規アングル２へ固定を行った縦胴縁４ａから連結金具Ｊ等を用いて枝分かれさせた胴縁４へ固定を行うことで、Ｌ字定規アングル２へ胴縁取付用金具３を介して固定を行った胴縁４と同様に強固な支持を得ることができる。
【００２６】
図５〜図７に示すように、この実施例の建物の１階部分においては、建物の上下階の階層境界部Ｈに上下方向へ取りつける縦胴縁４ａの建物１階上端側近辺はＬ字定規アングル２へ取り付けた胴縁取付用金具３に固定し、一方、基礎の土台部６側はＬ字定規アングル２へ取り付けた胴縁取付用金具３を介して横方向に渡した横胴縁４ｂに固定している。
【００２７】
結果、建物の基礎の土台部６側で横方向に渡した横胴縁４ｂと、建物の上下階の階層境界部Ｈに上下方向に各階に設置される縦胴縁４ａの両端近辺は、既存外壁１を支持する下地であるＬ字定規アングル２に支持されることとなり、図７に示されるような強固に支持された胴縁群が得られることとなる。なお、もちろんではあるが、建物１階の縦胴縁４ａの基礎の土台部６側は、横胴縁４ｂではなく胴縁取付用金具３に直接取り付けても同様に強固な支持を得られる。また逆に、建物上下階の階層境界部Ｈにおいて胴縁取付用金具３に横胴縁４ｂを取り付けて横方向に渡して、その横胴縁４ｂに対して縦胴縁４ａを取り付けても同様に強固な支持を得ることができる。
【００２８】
なお、これら胴縁４の中間部分は、既存外壁１にアンカーＡとアンカーボルトＢを用いて留め付けてもよいし、ビスを用いて留め付けてもよいし、胴縁取付用金具３を活用して留め付けてもよい。ここで、胴縁４の中間部分で既存外壁１に対して胴縁取付用金具３の留め付けを行うような場合は、単独からなるビス等の固定具に限らず、アンカーＡとアンカーボルトＢを用いて留め付けを行ってもよい。
【００２９】
図１１、図１３〜図１５に本発明に用いる胴縁取付用金具３の例を示す。
【００３０】
図１１に示すように胴縁取付用金具３は、既存外壁１又は既存外壁１を支持する下地に対して胴縁取付用金具３を固定するためのビスやアンカーボルトＢといった固定具αを取り付けるための略方形状の固定部１０と、固定部１０の左右方向一端部から垂直方向上方に立ち上げた屈曲面１１と、屈曲面１１の端を固定部１０とほぼ平行になるように折り曲げた施工面７と、固定部１０の上下方向両端部から垂直方向上方に立ち上げた中央片１２とを有し、該中央片１２は施工面７の下に延びる中央片延出部１３を有している。
【００３１】
中央片延出部１３の施工面７裏面に面する側には上部受け部１４があり、一方施工面７裏面には、施工面７が既存外壁１の側に変形しようとした際に上部受け部１４と接する上部接部１５がある。
【００３２】
固定部１０には、ビスやアンカーボルトＢといった固定具αを挿入するための固定孔βが形成されている。
【００３３】
図１２に示すように、胴縁取付用金具３へ胴縁４の取り付けを行う際の固定具αの打ち込み時には、胴縁取付用金具３の施工面７に屋内側方向への外力Ｆがかかることになるが、図１１に示すような胴縁取付用金具３によれば、このような場合、特に胴縁取付用金具３と既存外壁１との間に隙間が存在するような場合であっても、中央片延出部１３の上部受け部１４が、施工面７裏面側の上部接部１５を受けて支える形となることで、胴縁取付用金具３の外力Ｆに対する強度が増し、固定具α打ち込み時の外力Ｆによる変形を防ぐことができる。これにより、例えば既存外壁１に不陸が存在するような場合であっても、胴縁取付用金具３の下にスペーサーＳを挿入するような不陸調整を問題なく行うことができる。
【００３４】
また、図１３（ａ）に示す胴縁取付用金具３は、中央片延出部１３には、施工面７が固定部１０がある既存外壁１の側から離れるような方向へ変形しようとした際に、側片１６と接することでその変形を防止する下部受け部１７がある。この下部受け部１７と接する側片１６の部位は下部接部１８とする。
【００３５】
この図１３（ａ）に示す胴縁取付用金具３によれば、図１２に示した胴縁取付用金具３の変形防止効果に加えて、中央片延出部１３と側片１６とに垂直方向上下の変形に対して噛み合うような形状を形成したことにより、図１２の場合と逆側の変形も防ぐことができる。
【００３６】
例えば、図１３（ｂ）に示すように、新規外壁材８の取り付け後において、新規外壁材８に負圧の風荷重がかかった際に、胴縁取付用金具３の施工面にも屋外側方向への負圧の外力Ｆが作用することになるが、中央片延出部１３の下部受け部１７が、側片１６の下部接部１８を受けて支える形となることで、胴縁取付用金具３の外力Ｆに対する強度が増し、胴縁取付用金具３の耐風圧強度が向上することになる。
【００３７】
また、図１４（ａ）に示す胴縁取付用金具３は、中央片延出部１３には、施工面７および/または屈曲面１１が固定部１０の中心から離れる方向に変形しようとした際に、側片１６と接することでその変形を防止する側部受け部１９がある。この側部受け部１９と接する側片１６の部位は側部接部２０とする。
【００３８】
この図１４（ａ）に示す胴縁取付用金具３によれば、図１２、図１３に示した胴縁取付用金具３の変形防止効果に加えて、施工面７および/または屈曲面１１が固定部１０の中心から離れる方向に変形することも防ぐことができる。つまり、垂直方向上下の変形に対して噛み合うような形状に加えて、左右方向の変形に対しても噛み合うような形状となっている。
【００３９】
例えば、図１４（ｂ）に示すように、胴縁４や新規壁材８取り付け後において、胴縁取付用金具３の施工面７および/または屈曲面１１が固定部左右方向に変形させるような、荷重や地震等による建物の動きによって生じるような外力Ｆが働いた場合であっても、中央片延出部１３の側部受け部１９が、側片１６の側部接部２０を受けて支える形となることで、胴縁取付用金具３の強度が増し、このような外力Ｆによる胴縁取付用金具３の変形を防止することができる。
【００４０】
もちろん、施工面７および/または屈曲面１１が固定部１０の中心方向に向かって近づくような変形に対しては、図１１（ｂ）、図１３〜図１５に示すような胴縁取付用金具３であれば、中央片１２や中央片延出部１３と側片１６とが接することになり、その変形を防ぐことができる。
【００４１】
なお、胴縁取付用金具３の他の形状として、図１５（ａ）に示すように、中央片延出部１３がなく、胴縁取付用金具３が既存外壁１の側に変形しようとした際に、側片１６が中央片１２と接して変形を防止するような形状。又は屈曲面側片１６と屈曲面１１とが接するような形状であってもよい。また、図１５（ｂ）（ｃ）に示すように、中央片延出部１３がなく、図１３、図１４の胴縁取付用金具３ような側片１６の形状のまま、中央片１２側を引っ込めて、側片１６側を延ばしたような形状のようにしても、図１３や図１４と同様の変形防止効果を得ることができる。
【００４２】
また、この胴縁取付用金具３は、図１１、図１３〜図１５に示すように、固定部１０の左右両側に、施工面７を形成することで、２本の胴縁４を一つの胴縁取付用金具３に取り付けることが容易となり、図５〜図７、図９に示すような、胴縁４を建物の上下方向や左右方向で繋げるように設置する際に、施工性の向上、取り付け手間の軽減、固定具αや部材等の資材使用量の低減が望める。
【００４３】
特に、図５に示すように、上下階の階層境界部Ｈで既存外壁１のパネルの継ぎ目に位置しているＬ字定規アングル２へ固定するような場合においては、胴縁取付用金具３を介しての固定を行うことで、留め付け可能な面積が狭いＬ字定規アングル２に対して、無理なく、建物上下方向に連なるように２本の縦胴縁４ａを繋ぐことができ、施工性が向上する。
【００４４】
なお、胴縁取付用金具３の施工面７が一つであっても、施工面７の面積が広ければ、一つの施工面７に２つの胴縁４を取り付けることはもちろん可能である。
【００４５】
図１６に本発明に用いる胴縁４の例を示す。使用する胴縁４の形状としては、一般的に知られている図１６（ａ）のハット型形状のものや、図１６（ｂ）、図１６（ｃ）に示すような形状のものがある。その他、新規外壁材８の横継部となるところでは、新規外壁材の横継部用の部材を施工するために、広幅状の胴縁４を使用するといったこともある。また、図１６（ｄ）に示すように出隅部分用として出隅部胴縁９のようなイカ頭状ものを使用する場合もある。
【００４６】
胴縁取付用金具３や胴縁４の材質としては、例えば溶融亜鉛-アルミニウム-マグネシウム合金めっき等の高耐蝕性の鋼材やアルミやステンレスといった金属製のものがあるが、特に材質は限定されるものではない。一般的には金属製のものが主であるため金具と表記しているが、金属製のものでなくてもよい。
【００４７】
胴縁取付用金具３や胴縁４の固定孔βは、地震等の揺れで既存外壁１が動いた際の対策とし、面内追求性を考慮して長孔としておくことが好ましい。これにより、固定具αをつけた既存外壁１と固定孔βとにおいて多少の動きのズレが生じたとしても、そのズレを吸収することができる。特にこれは、既存外壁１がＡＬＣの縦壁ロッキング構法である場合においては、Ｌ字定規アングル２には既存外壁１のパネル幅方向中央に位置する部分に、既存のＡＬＣ外壁施工時に用いられた既存ＡＬＣ用金具Ｋが存在しているため、それを避けて胴縁取付用金具３の設置位置をパネル幅方向中央からずらして施工するような場合に効果を発揮する。
【００４８】
図１７に建物のパラペット部分における本発明の実施例を示す。例えば図１７に示すように、既存外壁１がＡＬＣ外壁である建物のパラペット部分では、屋上直下の階の既存外壁１は屋上方向に延長されており、屋上と屋上直下の階との階層境界部Ｈには既存外壁１の境界というものがないといったことがある。
【００４９】
ここでは、屋上とその直下の階との階層境界部Ｈに存在する既存外壁１の下地であるＬ字定規アングル２に下層階同様に胴縁取付用金具３を固定具αで固定するとともに、この胴縁取付用金具３の施工面７に対して縦胴縁４ａの上端部近辺を固定する。さらには、屋上方向に延長された既存外壁１に対しても念のため縦胴縁４ａを固定しておくことが好ましい。
【００５０】
図１８に建物の開口部Ｗにおける本発明の実施例の一例を示す。図１８（ａ）が開口部の正面、図１８（ｂ）が垂直断面、図１８（ｃ）が水平断面を表す参考図である。この開口部の例のように、縦胴縁４ａを連続して形成するのに邪魔な障害物がある箇所については、その箇所の既存外壁１の下地や横架材や垂直材の有無、開口部周りの施工態様、必要な強度等を勘案して、胴縁の取付方法の選択、胴縁取付用金具使用の有無、横胴縁４ｂの設置の有無等を決める。
【符号の説明】
【００５１】
１    既存外壁
２    Ｌ字定規アングル
３    胴縁取付用金具
４    胴縁
４ａ  縦胴縁
４ｂ  横胴縁
５    梁
６    基礎の土台部
７    施工面
８    新規外壁材
９    出隅部胴縁
１０  固定部
１１  屈曲面
１２  中央片
１３  中央片延出部
１４  上部受け部
１５  上部接部
１６  側片
１７  下部受け部
１８  下部接部
１９  側部受け部
２０  側部接部
α    固定具
β    固定孔
Ａ    アンカー
Ｂ    アンカーボルト
Ｆ    外力
Ｈ    階層境界部
Ｊ    連結金具
Ｋ    既存ＡＬＣ用金具
Ｓ    スペーサー
Ｗ    開口部
【図１】
2018178581.tif 000003
【図２】
2018178581.tif 000004
【図３】
2018178581.tif 000005
【図４】
2018178581.tif 000006
【図５】
2018178581.tif 000007
【図６】
2018178581.tif 000008
【図７】
2018178581.tif 000009
【図８】
2018178581.tif 000010
【図９】
2018178581.tif 000011
【図１０】
2018178581.tif 000012
【図１１】
2018178581.tif 000013
【図１２】
2018178581.tif 000014
【図１３】
2018178581.tif 000015
【図１４】
2018178581.tif 000016
【図１５】
2018178581.tif 000017
【図１６】
2018178581.tif 000018
【図１７】
2018178581.tif 000019
【図１８】
2018178581.tif 000020